(57)【要約】【課題】コップ自体をそのままコップとして使用できることは勿論のこと、例えばソフトクリーム等のホルダ，スタンドとしても使用可能なコップを提供する。【解決手段】開口部３側よりも底部５側が細くなっている錐体のコップ１であって、当該コップ１の底面をほぼ全面的に開口可能に構成してある。また、開口部３側よりも底部５側が細くなっている錐体のコップ１であって、一方のコップの底部側が他方のコップの底部側に嵌合可能なように、コップの底部よりも太い部分において分割可能に構成してある。【選択図】　　　図３
2004065653.tif 000002
【特許請求の範囲】
【請求項１】
開口部側よりも底部側が細くなっている錐体のコップであって、当該コップの底面をほぼ全面的に開口可能に構成してあることを特徴とするコップ。
【請求項２】
開口部側よりも底部側が細くなっている錐体のコップであって、一方のコップの底部側が別個のコップの底部側に嵌合可能なように、コップの底部よりも太い部分において分割可能に構成してあることを特徴とするコップ。
【発明の詳細な説明】
【０００１】
【発明の属する技術分野】
本発明は、例えば紙コップなどのごときコップに係り、さらに詳細には、コップとしては勿論のこと、例えばソフトクリーム等のホルダ等として使用可能のコップに関する。
【０００２】
【従来の技術】
本発明に関係すると思われる先行例として、例えば特開平１０−１６９８５号公報がある。この先行例においては、開口部の径よりも底部の径が小径のテーパ状のコップに、当該コップの高さの約１／２の高さで切断した形状のテーパ状円筒体を嵌合して付属させた構成である。
【０００３】
そして、使用時には、前記テーパ状円筒体をコップから取り外して開口部側が下になるように立て、このテーパ状円筒体にコップの底部側を嵌入することにより、前記テーパ状円筒体をコップの転倒を防止するスタンド等として使用するものである。
【０００４】
【発明が解決しようとする課題】
前記先行例においては、錐形のコップと、当該コップを１／２の高さ位置で切断した態様のテーパ状円筒体の２部品を対として備えるものであるから、製造コストが高くなるという問題がある。さらに、前記テーパ状円筒体はコップのスタンドとしてしか使用できないので、例えばコップを立てることなく使用する場合には、前記テーパ状円筒体は無駄である等の問題がある。
【０００５】
【課題を解決するための手段】
本発明は、前述のごとき従来の問題に鑑みてなされたもので、請求項１に係る発明は、開口部側よりも底部側が細くなっている錐体のコップであって、当該コップの底面をほぼ全面的に開口可能に構成してあるものである。
【０００６】
請求項２に係る発明は、開口部側よりも底部側が細くなっている錐体のコップであって、一方のコップの底部側が別個のコップの底部側に嵌合可能なように、コップの底部よりも太い部分において分割可能に構成してあるものである。
【０００７】
【発明の実施の形態】
図１を参照するに、本実施の形態に係るコップ１は、例えば従来の紙コップ、プラスチックのコップ等と同様に、開口部３側よりも底部（底面）５側が細い（小径）錐形に構成してある。なお、コップ１の形状は截頭円錐体にて例示してあるが、円錐体に限ることなく角錐体であっても良いものである。
【０００８】
前記コップ１の底部（底面）５には、例えば当該底部５を軽く押すことによってほぼ全面的に開口可能なように、適宜形状の破損可能部７が形成してある。この破損可能部７は、底部５の内面と外面とを貫通しない程度，例えば底部５の厚さの約１／２程度の深さの切込みを内面あるいは外面の少なくとも一方に形成したもので、図２（Ａ）は破損可能部７としての切込みを底部５に放射状に形成したものであり、図２（Ｂ）は破損可能部７を渦巻き状に形成したものである。そして、図２（Ｃ）は破損可能部７を同心円状に形成し、図２（Ｄ）は円形状の破損可能部７の１部に舌状部７Ａを形成したものである。
【０００９】
上記構成により、コップ１は、図３に示すように、従来のコップ同様に重ねて収納できるものである。そして、例えば水やジュース等の容器として使用する場合には、そのまま通常のコップ同様にコップとして使用できるものである。
【００１０】
ここで、図４に示すように、ソフトクリーム９Ａ，アイスクリーム９Ｂ等のホルダ又はスタンドとして使用する場合には、コップ１における底部５に形成した破損可能部７を破損して底部５を内側へ変形すること又は底部５に穴を形成するにより、コップ１の底部５がほぼ全面的に開口されることになる。
【００１１】
したがって、コップ１の開口部３が下側となるようにコップ１を倒立し、開口した前記底部５内にソフトクリーム９Ａ等を嵌合することにより、ソフトクリーム９Ａ等のホルダ，スタンドとして使用できるものである。
【００１２】
既に理解されるように、コップ１は、水等を飲むための容器として使用できることは勿論のこと、ソフトクリーム等のホルダ，スタンドとして使用できるものである。したがって、ジュースやソフトクリーム等を販売している売店において、ジュース等を販売するときにはそのままコップとして使用でき、ソフトクリーム等を販売するときにはソフトクリーム等のホルダ，スタンドとして使用できることとなり、コップと上記スタンド等とを別個に用意する必要がなく、利便性が向上するものである。
【００１３】
図５は第２の実施形態を示すもので、図５（Ａ）は、コップ１における底部５より太い（大径）部分であって底部５から開口部３側寄りの位置に、周方向に破損可能部７として断続的に又は連続して僅かに切れ目を形成したものである。
【００１４】
したがって、前記破損可能部７に外力を付与して破損（切断）することにより、コップ１は開口部３側と底部５側とに分割されるものである。よって、前述したコップ同様に、コップとして使用可能であると共に、例えばソフトクリーム等のスタンド等としても可能である。
【００１５】
なお、前記破損可能部７は、１箇所に限ることなく、コップ１の前記開口部３と底部５との間の複数箇所に適宜間隔に設けることができる。このように構成することにより、嵌合支持する対象，例えばソフトクリーム，コップ等の被嵌合部の大きさに対応して所望の破損可能部７を切断して、嵌合支持する対象物の大きさに対応した開口を形成することができることとなり、より利便性が向上するものである。
【００１６】
図５（Ｂ）は、破損可能部７を並列して設けることによって帯状部を形成し、この帯状の部分に舌状のつまみ７Ｂを備えた構成である。この構成によれば、上記つまみ７Ｂを把持して引張ることにより破損可能部７が破れて、コップ１が開口部３側と底部５側とに分割されるものであり、前述同様の効果を奏し得るものである。
【００１７】
図５（Ｃ）は、破損可能部７に紐部材１１を予め埋設しておき、この紐部材１１の端部を引張ることにより、前記破損可能部７が破れて、コップ１が開口部３側と底部５側とに分割する構成としたもので、この構成においても前述同様の効果を奏するものである。
【００１８】
図６は第３の実施形態を示すもので、コップ１を開口部側部分３Ａと底部側部分５Ａとに予め分割しておき、上記開口部側部分３Ａと底部側部分５Ａとを、雄ネジ部３Ｂ，雌ネジ部５Ｂの関係において螺合した構成である。なお、上記雄ネジ部３Ｂ又は雌ネジ部５Ｂを設ける位置は、相対的なものであるので、開口部側部分３Ａ又は底部側部分５Ａの一方に雄ネジ部を、他方に雌ネジ部を設ければよいものである。
【００１９】
なお、上記構成においては、前記開口部側部分３Ａ及び底部側部分５Ａを例えば樹脂により構成し、前記雄ネジ部３Ｂと雌ネジ部５Ｂとを水密に螺合することが可能である。
【００２０】
上記構成によれば、開口部側部分３Ａと底部側部分５Ａとを雄ネジ部３Ｂと雌ネジ部５Ｂとの螺合によって予め一体化して両者を互いに固定した状態においては通常のコップとして使用できる。また、前記螺合を解除して開口部側部分３Ａと底部側部分５Ａとを分割し、開口部側部分３Ａの開口部３を下側にして倒立することにより、開口部側部分３Ａに別個のコップを嵌合することにより、コップのホルダ，スタンドとして利用可能である。すなわち、前記底部側部分５Ａを取り外した後の開口部側部分３Ａの開口部３の反対側に別個のコップの底部側を嵌合し支持することができるものである。
【００２１】
図６（Ｂ）は、前記雄ネジ部３Ｂ，雌ネジ部５Ｂに替えて、コップ１の開口部側部分３Ａの小径部（下端部）の外周面に適宜形状の凹溝３Ｃを形成し、底部側部分５Ａの大径部（上端部）内周面に、前記凹溝３Ｃと係合離脱可能の凸条５Ｃを形成した構成である。
【００２２】
したがって、前記開口部側部分３Ａの外周面の凹溝３Ｃと底部側部分５Ａの内周面の凸条５Ｃとを係合することにより、コップ１の開口部側部分３Ａと底部側部分５Ａとを互いに一体的に固定でき、上記凹溝３Ｃと凸条５Ｃとの係合を解除することにより、開口部側部分３Ａと底部側部分５Ａとに分割することができるものであり、前述同様の効果を奏し得るものである。
【００２３】
なお、前記凹溝３Ｃと凸条５Ｃとは相対的なものであるから、開口部側部分３Ａ又は底部側部分５Ａの一方に凹溝を形成し、他方に凸条を形成すれば良いものである。
【００２４】
【発明の効果】
以上のごとき説明より理解されるように、本発明によれば、コップ自体を通常のコップとして使用できると共に、例えばソフトクリーム，他のコップのホルダ，スタンド等として使用できるものであり、前述したごとき従来の問題を解消し得るものである。
【図面の簡単な説明】
【図１】コップの説明図である。
【図２】コップの底部に設けた破損可能部の説明図である。
【図３】コップの積層状態を示す説明図である。
【図４】コップをソフトクリーム等のホルダ，スタンドに利用した場合を例示した説明図である。
【図５】第２の実施形態を示す説明図である。
【図６】第３の実施の形態を示す説明図である。
【符号の説明】
１　コップ
３　開口部
５　底部
７　破損可能部
【図１】
2004065653.tif 000003
【図２】
2004065653.tif 000004
【図３】
2004065653.tif 000005
【図４】
2004065653.tif 000006
【図５】
2004065653.tif 000007
【図６】
2004065653.tif 000008